【事件の表示】
　平成１１年特許願第３０１９１４号「シミュレーションシステムにおけるプレー環境自動生成装置、プレー環境自動生成方法及びそのプレー環境自動生成プログラムを記録した記録媒体。」拒絶査定に対する審判事件［平成１３年　５月　８日出願公開、特開２００１−１２０７０４］について、次のとおり審決する。
【結　論】
　本件審判の請求は、成り立たない。
【理　由】
１．手続の経緯
　本願は、平成１１年１０月２５日の出願であって、平成１３年８月２８日付けで拒絶査定がなされ、同年１０月４日付けで拒絶査定に対する審判請求がなされるとともに、同日付けで手続補正がなされたものである。
２．平成１３年１０月４日付け手続補正について
［結論］平成１３年１０月４日付け手続補正を却下する。
［理由］
(1)　平成１３年１０月４日付け手続補正（以下、「本件補正」という。）により、特許請求の範囲は請求項１乃至１７に記載されたとおりに補正され、当該補正において、請求項１を、
「【請求項１】
　画面に映し出されたプレーフィールドでシミュレーションを行うシミュレーションシステムにおいて、
　前記プレーフィールドに関する特徴を表すパラメータを入力するパラメータ入力手段と、
　前記パラメータ入力手段により入力されたパラメータに基づき、プレー環境として新たに生成するプレーフィールドの地形及び天候の少なくともいずれか一つを定義するデータを自動生成するデータ生成手段と、
　前記パラメータ入力手段により入力されたパラメータに基づき、前記プレーフィールドの基本骨格形状を定義する基本骨格形状データを含む基本形状データを自動生成する基本骨格形状データ生成手段とを具備することを特徴とするシミュレーションシステムにおけるプレー環境自動生成装置。」と補正し、請求項５を、
「【請求項５】
　ゴルフシミュレーションシステムにおけるゴルフコース自動生成装置において、
　ゴルフコースのホールに関する特徴を表すパラメータ基本骨格形状データ生成手段と、
　前記基本骨格形状データに基づき、前記基本骨格形状の外郭となる基本外郭形として少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する状（当審注：「状」は「形状」の誤記であると認める。）を定義する基本外郭形状データを自動生成する基本外郭形状データ生成手段とを具備し、
　前記基本骨格形状データ生成手段は、前記基本骨格形状データを一次元データとして生成し、前記基本骨格形状を線的に定義すると共に、前記基本外郭形状データ生成手段は、前記基本外郭形状データを二次元的に生成し、前記基本外郭形状を面的に定義することを特徴とするシミュレーションシステムにおけるプレー環境自動生成装置。」と補正し、請求項６を、
「【請求項６】
　ゴルフシミュレーションシステムにおけるゴルフコース自動生成装置において、
　ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成手段と、
　前記基本骨格形状データに基づき、前記基本骨格形状の外郭となる基本外郭形状を面的に定義する基本外郭形状データを自動生成する基本外郭形状データ生成手段と、
　前記基本外郭形状データの高さを定義する高さ情報データを自動生成する高さ情報データ生成手段と、
　前記基本外郭形状データと前記高さ情報データとを合成し、前記基本外郭形状を立体的に定義する三次元形状データを自動生成する三次元形状データ生成手段とを具備することを特徴とするシミュレーションシステムにおけるプレー環境自動生成装置。」と補正し、請求項９を、
「【請求項９】
　画面に映し出されたプレーフィールドでシミュレーションを行うシミュレーションシステムにおいて、
　前記プレーフィールドに関する特徴を表すパラメータを入力するパラメータ入力ステップと、
　前記パラメータ入力ステップで入力されたパラメータに基づき、プレー環境として新たに生成するプレーフィールドの地形及び天候の少なくともいずれか一つを定義するデータを自動生成するデータ生成ステップと、
　前記パラメータ入力ステップで入力されたパラメータに基づき、前記プレーフィールドの基本骨格形状を含み、前記基本形状データは前記プレーフィールドの基本骨格形状を定義する基本骨格形状データを含む基本形状を定義する基本形状データを自動生成する基本骨格形状データ生成ステップとを具備することを特徴とするシミュレーションシステムにおけるプレー環境自動生成方法。」と補正し、請求項１３を、
「【請求項１３】
　ゴルフシミュレーションシステムにおけるゴルフコース自動生成方法において、
　ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成ステップと、
　前記基本骨格形状データに基づき、前記基本骨格形状の外郭となる基本外郭形状を定義する基本外郭形状データを自動生成する基本外郭形状データ生成ステップとを具備し、
　前記基本骨格形状データ生成ステップは、前記基本骨格形状データを一次元データとして生成し、前記基本骨格形状を線的に定義すると共に、前記基本外郭形状データ生成ステップは、前記基本外郭形状データを二次元的に生成し、前記基本外郭形状を面的に定義することを特徴とするシミュレーションシステムにおけるプレー環境自動生成方法。」
と補正し、及び、請求項１４を、
「【請求項１４】
　ゴルフシミュレーションシステムにおけるゴルフコース自動生成方法において、
　ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成ステップと、
　前記基本骨格形状データに基づき、前記基本骨格形状の外郭となる基本外郭形状を面的に定義する基本外郭形状データを自動生成する基本外郭形状データ生成ステップと、
　前記基本外郭形状データの高さを定義する高さ情報データを自動生成する高さ情報データ生成ステップと、
　前記基本外郭形状データと前記高さ情報データとを合成し、前記基本外郭形状を立体的に定義する三次元形状データを自動生成する三次元形状データ生成ステップとを具備することを特徴とするシミュレーションシステムにおけるプレー環境自動生成方法。」と補正するものである。
(2)　本件補正の目的について
　上記補正中、請求項１に係る補正は、請求項１に記載した発明を特定するために必要な事項として、平成１３年８月９日付け手続補正書の特許請求の範囲の請求項１に記載した発明の「前記パラメータ入力手段により入力されたパラメータに基づき、前記プレーフィールドの基本形状を定義する基本形状データを自動生成する基本形状データ生成手段と」を、同日付け手続補正書の特許請求の範囲の請求項２に記載した発明の「前記基本形状データは前記プレーフイールドの基本骨格形状を定義する基本骨格形状データを含むこと」に基いて、「前記パラメータ入力手段により入力されたパラメータに基づき、前記プレーフィールドの基本骨格形状を定義する基本骨格形状データを含む基本形状データを自動生成する基本骨格形状データ生成手段と」と、「プレーフイールド」を「定義」する「形状」について限定するものであるから、特許法第１７条の２第４項第２号に規定する特許請求の範囲の減縮を目的とするものである。
　請求項５に係る補正は、請求項５に記載した発明を特定するために必要な事項として、平成１３年８月９日付け手続補正書の特許請求の範囲の請求項６に記載した発明の「ゴルフコースのホールに関する特徴を表すパラメータに基づき、前記ホールの基本骨格形状を定義する基本骨格形状データを自動生成する基本骨格形状データ生成手段と、前記基本骨格形状データに基づき、前記基本骨格形状の外郭となる基本外郭形状を定義する基本外郭形状データを自動生成する基本外郭形状データ生成手段とを具備し」を、同日付け手続補正書の「基本骨格形状データ生成手段は、図２に示すように、パラメータ（条件）として設定したホールの規定打数等に基づき、ゴルフボール仮想移動ライン１０４，１０５を演算し、前記ゴルフボールの仮想移動ライン１０４，１０５を定義する仮想移動ラインデータを前記基本骨格形状データ（基本ライン）として自動生成する。」（段落【００６２】）に基いて、「ゴルフコースのホールに関する特徴を表すパラメータ基本骨格形状データ生成手段と（当審注：「表すパラメータ基本骨格形状データ生成手段と」は「表すパラメータに基づき、基本骨格形状データ生成手段と」の誤記であると認める。）、前記基本骨格形状データに基づき、前記基本骨格形状の外郭となる基本外郭形（当審注：「形」は「形状」の誤記であると認める。）として少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する状（当審注：「状」は「形状」の誤記であると認める。）を定義する基本外郭形状データを自動生成する基本外郭形状データ生成手段とを具備し、」と、「基本外郭形状データ生成手段」について限定するものであるから、特許法第１７条の２第４項第２号に規定する特許請求の範囲の減縮を目的とするものである。
　請求項６に係る補正は、請求項６に記載した発明を特定するために必要な事項として、平成１３年８月９日付け手続補正書の特許請求の範囲の請求項７に記載した発明の「ゴルフコースのホールに関する特徴を表すパラメータに基づき、前記ホールの基本骨格形状を線的に定義する基本骨格形状データを自動生成する基本形状データ生成手段と」を、同日付け手続補正書の「基本骨格形状データ生成手段は、図２に示すように、パラメータ（条件）として設定したホールの規定打数等に基づき、ゴルフボール仮想移動ライン１０４，１０５を演算し、前記ゴルフボールの仮想移動ライン１０４，１０５を定義する仮想移動ラインデータを前記基本骨格形状データ（基本ライン）として自動生成する。」（段落【００６２】）に基づいて及び図２において仮想ライン１０４，１０５は直線であるので「線的に」を削除した補正によっても「線的に」が包含されていることと同趣旨に帰することに基いて、「ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成手段と」と、「パラメータ」、「基本形状データ生成手段」について限定するものであるから、特許法第１７条の２第４項第２号に規定する特許請求の範囲の減縮を目的とするものである。
　請求項９に係る補正は、請求項９に記載した発明を特定するために必要な事項として、平成１３年８月９日付け手続補正書の特許請求の範囲の請求項１１に記載した発明の「前記パラメータ入力ステップで入力されたパラメータに基づき、前記プレーフィールドの基本骨格形状を定義する基本形状データを自動生成する基本骨格形状データ生成ステップと」を、同日付け手続補正書の特許請求の範囲の請求項１２に記載した発明の「前記基本形状データは前記プレーフイールドの基本骨格形状を定義する基本骨格形状データを含むこと」に基いて、「前記パラメータ入力ステップで入力されたパラメータに基づき、前記プレーフィールドの基本骨格形状を含み、前記基本形状データは前記プレーフィールドの基本骨格形状を定義する基本骨格形状データを含む基本形状を定義する基本形状データを自動生成する基本骨格形状データ生成ステップと」と、「前記基本形状データ」について限定するものであるから、特許法第１７条の２第４項第２号に規定する特許請求の範囲の減縮を目的とするものである。
　請求項１３に係る補正は、請求項１３に記載した発明を特定するために必要な事項として、平成１３年８月９日付け手続補正書の特許請求の範囲の請求項１６に記載した発明の「ゴルフコースのホールに関する特徴を表すパラメータに基づき、前記ホールの基本骨格形状を定義する基本骨格形状データを自動生成する基本骨格形状データ生成ステップと」を、同日付け手続補正書の「基本骨格形状データ生成手段は、図２に示すように、パラメータ（条件）として設定したホールの規定打数等に基づき、ゴルフボール仮想移動ライン１０４，１０５を演算し、前記ゴルフボールの仮想移動ライン１０４，１０５を定義する仮想移動ラインデータを前記基本骨格形状データ（基本ライン）として自動生成する。」（段落【００６２】）に基いて、「ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成ステップと」と、「基本骨格形状データ生成ステップ」について限定するものであるから、特許法第１７条の２第４項第２号に規定する特許請求の範囲の減縮を目的とするものである。
　請求項１４に係る補正は、請求項１４に記載した発明を特定するために必要な事項として、平成１３年８月９日付け手続補正書の特許請求の範囲の請求項１７に記載した発明の「ゴルフコースのホールに関する特徴を表すパラメータに基づき、前記ホールの基本骨格形状を線的に定義する基本骨格形状データを自動生成する基本形状データ生成ステップと」を、同日付け手続補正書の「基本骨格形状データ生成手段は、図２に示すように、パラメータ（条件）として設定したホールの規定打数等に基づき、ゴルフボール仮想移動ライン１０４，１０５を演算し、前記ゴルフボールの仮想移動ライン１０４，１０５を定義する仮想移動ラインデータを前記基本骨格形状データ（基本ライン）として自動生成する。」（段落【００６２】）に基づいて及び図２において仮想ライン１０４，１０５は直線であるので「線的に」を削除した補正によっても「線的に」が包含されていることと同趣旨に帰することに基いて、「ゴルフコースのホールに関する特徴を表すパラメータとして少なくともホールの規定打数を設定し、前記規定打数に基づきゴルフボールの仮想移動ラインを演算し、前記ゴルフボールの仮想移動ラインを定義する仮想移動ラインデータを前記基本骨格形状データとして自動生成する基本骨格形状データ生成ステップと」と、「パラメータ」、「基本形状データ生成ステップ」について限定するものであるから、特許法第１７条の２第４項第２号に規定する特許請求の範囲の減縮を目的とするものである。
　なお、請求項２乃至４、７、８、１０乃至１２、及び１５乃至１７についての補正は、それぞれ、請求項の項数を繰り上げたことに伴い項の数の表示及び引用する項の数を整合させたものであり、いずれも正当に補正されているから、特許法第１７条の２第４項第２号に規定する明りょうでない記載の釈明を目的とするものである。
(3)　本件補正の独立特許要件について
　本件補正後の特許請求の範囲に記載されている事項により特定される発明（以下、「本願補正発明」という。）について特許出願の際独立して特許を受けることができるものであるか（特許法第１７条の２第５項において準用する同法第１２６条第４項の規定に適合するか）について検討する。
(3-1)．本願補正発明
　本願補正発明は、本件補正後の特許請求の範囲の請求項１乃至１７に記載されたとおりであって、その請求項２に記載された事項によって特定される発明（以下、単に「補正請求項２発明」という。）は、次のとおりである。
「【請求項２】
　画面に映し出されたプレーフィールドでシミュレーションを行うシミュレーションシステムにおいて、前記プレーフィールドに関する特徴を表すパラメータを入力するパラメータ入力手段と、前記パラメータ入力手段により入力されたパラメータに基づき、前記プレーフィールドの一部を構成する前記プレーフィールドにおけるプレーに影響を与える第１の種類のパーツ及び前記プレーフィールドにおけるプレーに影響を与えない第２の種類のパーツの少なくともいずれか一つを含むパーツを前記プレーフィールドに自動配置するパーツ配置手段とを具備することを特徴とするシミュレーションシステムにおけるプレー環境自動生成装置。」
(3-2)．原査定の理由において引用された刊行物に記載された発明
　原査定の理由において引用された特開平１０−８３４６４号公報（以下、「刊行物１」という。）、特開平５−１２７５９０号公報（以下、「刊行物２」という。）には、次の事項が記載されている。
（刊行物１）
ａ．『図１０（Ａ）は、画像合成装置の１つであるコースデータ生成ツールに本実施例を適用した例である。サンプル点Ｐｊの平面位置データ、高さデータ、バンク角データは（中略）キーボード２００、（中略）マウス２０２により入力され（中略）処理部２１０は（中略）コースデータ生成部２１２で生成されたコースデータに基づいて画像を合成する画像合成部２１４を含む。（中略）処理部２１０は、キーボード２００、マウス２０２からの入力情報、情報記録媒体２１６に格納される情報に基づいて処理を行い、これにより表示部２１８上にコース画像２１９等が表示される。』（段落【0059】、第１２欄２３〜４３行）、
ｂ．『図１０（Ｃ）は、ゲーム演算部２４２がコースデータ生成部２４３を含む場合のゲーム装置の例である。この場合、情報記録媒体２４６には、コースデータの代わりに、図８の処理を行うためのコースデータ生成プログラムが格納され、コースデータの生成はゲーム装置に内蔵されるコースデータ生成部２４３が行う。例えばゲームコントローラ２２０、２２２等によりプレーヤが自身が所望するコースのサンプル点データ或いはコースの概略形状を入力し、このサンプル点データに基づいてコースデータ生成部２４３が対応するコースデータを生成すれば、プレーヤは自身が所望するコース上でゲームプレイを行うことができる。また（中略）ゲーム結果等に応じて、コースデータ生成部２４３が種々のコースデータを作成すれば、（中略）多数のコースをプレーヤに提供することが可能となる。』（段落【0061】、第１３欄２０〜３６行）、
ｃ．『生成されるコースデータは、車の走行コースのみならず、スキー、スノーボード、モータボート（中略）等、種々のものに適用できる。』（段落【0072】、第１４欄３６〜３９行）と記載されており、また。図１０によれば、『表示部に表示されたコース画像』が認められる。
　これらの記載および図１０によれば、刊行物１には、『サンプル点Ｐｊの平面位置データ、高さデータ、バンク角データを入力する手段からの入力情報、情報記録媒体に格納される情報に基づいて処理を行う処理部、コースデータに基づいて画像を合成する画像合成部、及び該画像合成部により表示部上にコース画像等が表示される発明であって、（ゲーム演算部２４２がコースデータ生成部２４３を含む場合のゲーム装置の例として）情報記録媒体２４６にコースデータ生成プログラムが格納され、コースデータの生成はゲーム装置に内蔵されるコースデータ生成部２４３が行い、ゲームコントローラ２２０、２２２等によりプレーヤが自身が所望するコースのサンプル点データ或いはコースの概略形状を入力し、このサンプル点データに基づいてコースデータ生成部２４３が対応するコースデータを生成して、プレーヤは自身が所望するコース上でゲームプレイを行うことができ、また、ゲーム結果等に応じて、コースデータ生成部２４３が種々のコースデータを作成すれば、多数のコースをプレーヤに提供する車の走行コース、スキー、スノーボードモータボード等、種々のものに適用できる複雑なコースを簡易に作成または利用できるコースのデータ生成手段ないし方法』が記載されている。
（刊行物２）
ａ．『なお、スイング計測において、実際に打球を行うようにしても良い。この場合、スイング状態検知センサはクラブの動きを感知する他に、ボールの動きの方を感知するものとすることができる。これにより、現存のゴルフシミュレーションゲームに本発明を応用可能となる。』（段落【0101】、第１９欄３５〜４０行）、
ｂ．『コース条件入力手段によりカップ位置、芝目等のコース条件を入力すれば、個人技能水準、コース条件、そして気象観測手段によるコースの当日の気象条件に合った当該コースの攻略法が攻略法データ作成手段において作成され、その攻略法が（中略）自然画に（中略）弾道を表示するようにしてモニタされる』（段落【0102】、第１９欄４５〜第２０欄１行）、
ｃ．『各種風向きに対応した風向き表示用のグラフイックデータを用意しておき、気象情報に従ってその風向きに合ったグラフイックを引出して表示することもできる。』（段落【0037】、第８欄３８〜４１行）、
ｄ．『情報処理装置１０は、気象観測装置から時々刻々と変化する気象状況を入力し、記憶装置１１に格納する。この気象情報には、天候、風向き、温度、湿度等が含まれる。（中略）気象観測装置としては、（中略）気象観測センサによる観測装置がある。』（段落【0046】、第１０欄４〜９行）と記載されている。
　これらの記載によれば、刊行物２には、『カップ位置、芝目等のコース条件を入力するコース条件入力手段、該入力手段によって入力されたコース条件、個人技能水準、気象観測手段によるコースの当日の気象条件に合った当該コースの攻略法が自然画に表示するようにしてモニタする手段』発明が記載されている。
(3-3)．対比・判断
　本願の補正請求項２発明と刊行物１の発明を比較すると、刊行物１の発明における『コース画像』は自動生成されたプレー環境の一種であり、『平面位置データ、高さデータ、バンク角データ』や『プレーヤが自身が所望するコースのサンプル点データ或いはコースの概略形状』はプレーフイールドのコース画像の構成を規定するパラメータの一種であるから、刊行物１の発明の『サンプル点Ｐｊの平面位置データ、高さデータ、バンク角データを入力する手段からの入力情報、情報記録媒体に格納される情報に基づいて処理を行う処理部、コースデータに基づいて画像を合成する画像合成部、及び該画像合成部により表示部上にコース画像等が表示される発明であって、（ゲーム演算部２４２がコースデータ生成部２４３を含む場合のゲーム装置の例として）情報記録媒体２４６にコースデータ生成プログラムが格納され、コースデータの生成はゲーム装置に内蔵されるコースデータ生成部２４３が行い、ゲームコントローラ２２０、２２２等によりプレーヤが自身が所望するコースのサンプル点データ或いはコースの概略形状を入力』する事項は、本願の補正請求項２発明の「シミュレーションシステムにおけるプレー環境自動生成装置」が備える「画面に映し出されたプレーフィールドでシミュレーションを行うシミュレーションシステムにおいて、前記プレーフィールドに関する特徴を表すパラメータを入力するパラメータ入力手段」に対応する（なお、刊行物２の発明の『カップ位置、芝目等のコース条件を入力するコース条件入力手段、該入力手段によって入力されたコース条件、個人技能水準、気象観測手段によるコースの当日の気象条件に合った当該コースの攻略法が自然画に表示するようにしてモニタする手段』も同様に対応する。）。
　しかしながら、本願の補正請求項２発明が「前記パラメータ入力手段により入力されたパラメータに基づき、前記プレーフィールドの一部を構成する前記プレーフィールドにおけるプレーに影響を与える第１の種類のパーツ及び前記プレーフィールドにおけるプレーに影響を与えない第２の種類のパーツの少なくともいずれか一つを含むパーツを前記プレーフィールドに自動配置するパーツ配置手段と」する事項を構成として備えるものであるのに対し、刊行物１の発明は、そのように規定しているものではない点で、双方の発明は相違する。
　そこで相違点について検討すると、本願の補正請求項２発明のように、プレイをする場及びその場の状況或いはその場の周辺環境を設定するときに必要とされるパラメータを入力し、「プレーフィールドにおけるプレーに影響を与える（或いは、与えない）パーツ」を「プレーフイールド」に「自動配置」して当該コースを創製していくことは、刊行物１の発明において示されている『ゲームコントローラ２２０、２２２等によりプレーヤが自身で所望するコースのサンプル点データ或いはコースの概略形状を入力』すること、即ち、プレーヤがプレイを行う際にプレーに影響を与える『コースのサンプル点データ或いはコースの概略形状』というパラメータを『ゲームコントローラ２２０、２２２等により入力』することによって得られる『プレーヤが自身で所望するコース』の創製と符合するものであり（『ゲームコントローラ』は本願の補正請求項２発明の「パーツ配置手段」に対応する。）、また、プレーフイールドの一部を構成するパーツを自動的に配置してコースを創製する考え方は、周知の事項である（例えば、特開平９−１３１４６５号公報の『ゲームのスタート時に形成した数個分のコース部品からなるコースに、ゲーム進行と平行して次々と新しいコース部品の選択と接続する演算がＣＰＵ５０にて行われる。』（第８欄３〜６行）という記載を参照。当該記載事項において、『新しいコース部品』は、本願の補正請求項２発明の「パーツ」に相当する。）。
　そして、本願の補正請求項２発明が奏する「各種シミュレーションシステムに適用すると、必要に応じてプレーヤが簡単な操作で全く新規なプレー環境を作成することができ、実質的に無限な数または種類のプレー環境の実現を可能にして、プレー環境選択の自由度を飛躍的に高めることができる」（段落【0209】、平成１３年１０月４日付け手続補正書）という効果は、当業者が刊行物１、２の発明及び前示の周知の技術に基いて推認できる程度のものである。
　そうすると、当業者が、刊行物１、２の発明及び前示の周知の技術に基いて、相違点の「前記パラメータ入力手段により入力されたパラメータに基づき、前記プレーフィールドの一部を構成する前記プレーフィールドにおけるプレーに影響を与える第１の種類のパーツ及び前記プレーフィールドにおけるプレーに影響を与えない第２の種類のパーツの少なくともいずれか一つを含むパーツを前記プレーフィールドに自動配置するパーツ配置手段と」に想到することに困難性は認められない。
　したがって、本願の補正請求項２発明は、刊行物１、２の発明及び前示の周知技術に基いて、当業者が容易に発明をすることができたものであるから、特許法第２９条第２項の規定により特許出願の際独立して特許を受けることができないものである。
　以上のとおりであって、本件補正は、特許法第１７条の２第５項において準用する同法第１２６条第４項の規定に適合せず、同法第１７条の２第５項の規定に違反するものであるから、同法第１５９条第１項において準用する同法第５３条第１項の規定により却下されるべきものである。
３．本願発明について
　平成１３年１０月４日付け手続補正は、上記２．のとおり却下されたので、本願発明は平成１３年８月９日付け手続補正書の特許請求の範囲の請求項１乃至２１に記載されたとおりのものであり、同範囲において請求項２に記載された事項によって特定される発明（以下、「請求項２発明」という。）は、「画面に映し出されたプレーフィールドでシミュレーションを行うシミュレーションシステムにおいて、前記プレーフィールドに関する特徴を表すパラメータを入力するパラメータ入力手段と、前記パラメータ入力手段により入力されたパラメータに基づき、前記プレーフィールドの一部を構成する前記プレーフィールドにおけるプレーに影響を与える第１の種類のパーツ及び前記プレーフィールドにおけるプレーに影響を与えない第２の種類のパーツの少なくともいずれか一つを含むパーツを前記プレーフィールドに自動配置するパーツ配置手段とを具備することを特徴とするシミュレーションシステムにおけるプレー環境自動生成装置。」であって、請求項２発明は、２．において説示した平成１３年１０月４日付け手続補正書の特許請求の範囲の請求項２に記載された事項により特定される発明（補正請求項２発明）と同一である。
　してみると、本願の請求項２発明についての判断は、「補正請求項２発明は、刊行物１、２の発明及び前示の周知技術に基いて、当業者が容易に発明をすることができたものであるから、特許法第２９条第２項の規定により特許出願の際独立して特許を受けることができないものである。」とする前示の２．における説示と同一の趣旨に帰する。
　したがって、本願の請求項２発明は、その出願前その発明の属する技術の分野における通常の知識を有する者がその出願前国内において頒布された上記刊行物に記載された発明及び周知技術に基いて容易に発明をすることができたものであり、本願発明は、その余の請求項に係る発明について判断するまでもなく、特許法第２９条第２項の規定により特許を受けることができない。
　よって、結論のとおり審決する。